【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
下記一般式（Ｉ）で表わされるアニオン性官能基が直接あるいは他の原子団を介して表面に結合した自己分散顔料と、水と、下記式（Ａ）で定義される親疎水度係数が０．３７以上の水溶性物質及び親疎水度係数が０．２５以下の水溶性物質と、ＨＬＢ値が１０以上のアセチレングルコールのエチレンオキサイド付加物とを含有し、
前記親疎水度係数が０．３７以上の水溶性物質として、炭素数４〜７の炭化水素のグリコール構造を有する水溶性物質を含有し、
インク中での、前記親疎水度係数が０．３７以上の水溶性化合物の含有割合を（Ａ）質量％、前記親疎水度係数が０．２５以下の水溶性化合物の含有割合を（Ｂ）質量％としたときに、「（Ａ）／（Ｂ）」が１／５以上、５／１以下であり、
前記ＨＬＢ値が１０以上のアセチレングルコールのエチレンオキサイド付加物のインク中での含有量は、０．２質量％以上、５質量％以下であり、
表面張力が３４ｍＮ／ｍ以下であることを特徴とするインクジェット記録用インク。
一般式（Ｉ）
【化１】
2009221456.tif 000001
（但し、式中のＭ1、Ｍ2は、独立して、水素原子、アルカリ金属、アンモニウムまたは有機アンモニウムを表わす。）
式（Ａ）
【数１】
2009221456.tif 000002
【請求項２】
さらに式（Ａ）で定義される親疎水度係数が０．２６以上、０．３７未満の水溶性物質を含有する請求項１に記載のインクジェット記録用インク。
【請求項３】
自己分散顔料の粒径が６０ｎｍ以上、１４５ｎｍ以下である請求項１又は２に記載のインクジェット記録用インク。
【請求項４】
請求項１〜３のいずれか１項に記載のインクジェット記録用インクを、０．５ｐｌ以上、６．０ｐｌ以下の定量で普通紙へ付与することで画像を形成するインクジェット画像形成方法であって、
前記画像を形成するための基本マトリクス中に、８０％デューティー以上で且つインクの総付与量が５．０μｌ／ｃｍ2以下となる部分を有する画像を形成する際に、インクの付与を複数回の分割回数に分割し、且つ分割されたそれぞれの回のインクの付与量が０．７μｌ／ｃｍ2以下であることを特徴とするインクジェット画像形成方法。
【請求項５】
少なくともブラック、シアン、マゼンタ及びイエローの４色のインクを、それぞれ０．５ｐｌ以上、６．０ｐｌ以下の定量で普通紙へ付与することで画像を形成するインクジェット画像形成方法であって、
前記４色のインクのそれぞれが、下記一般式（Ｉ）で表わされるアニオン性官能基が直接あるいは他の原子団を介して表面に結合した自己分散顔料と、水と、下記式（Ａ）で定義される親疎水度係数が０．３７以上の水溶性物質及び親疎水度係数が０．２５以下の水溶性物質と、ＨＬＢ値が１０以上のアセチレングルコールのエチレンオキサイド付加物とを含有し、
前記親疎水度係数が０．３７以上の水溶性物質として、炭素数４〜７の炭化水素のグリコール構造を有する水溶性物質を含有し、
前記インク中での、前記親疎水度係数が０．３７以上の水溶性化合物の含有割合を（Ａ）質量％、前記親疎水度係数が０．２５以下の水溶性化合物の含有割合を（Ｂ）質量％としたときに、「（Ａ）／（Ｂ）」が１／５以上、５／１以下であり、
前記ＨＬＢ値が１０以上のアセチレングルコールのエチレンオキサイド付加物のインク中での含有量は、０．２質量％以上、５質量％以下であり、
前記インクの表面張力はいずれも３４ｍＮ／ｍ以下であり、
前記画像を形成するための基本マトリクス中に、８０％デューティー以上で且つインクの総付与量が５．０μｌ／ｃｍ2以下となる部分を有する画像を形成する際に、インクの付与を複数回の分割回数に分割し、且つ分割されたそれぞれの回のインクの付与量が０．７μｌ／ｃｍ2以下であることを特徴とするインクジェット画像形成方法。
一般式（Ｉ）
【化２】
2009221456.tif 000003
（但し、式中のＭ1、Ｍ2は、独立して、水素原子、アルカリ金属、アンモニウムまたは有機アンモニウムを表わす。）
式（Ａ）
【数２】
2009221456.tif 000004
【請求項６】
前記基本マトリクスの解像度が６００ｄｐｉ以上、４８００ｄｐｉ以下である請求項４または５に記載のインクジェット画像形成方法。
【請求項７】
前記分割回数が２回以上、８回以下である請求項４〜６のいずれか１項に記載のインクジェット画像形成方法。
【請求項８】
前記分割回数が３回以上、８回以下である請求項４〜６のいずれか１項に記載のインクジェット画像形成方法。
【請求項９】
前記分割されたそれぞれの回のインクの付与量が０．５μｌ／ｃｍ2以下である請求項４乃至８のいずれか１項に記載のインクジェット画像形成方法。
【請求項１０】
前記インクの付与を熱エネルギーの作用により行なうことを特徴とする請求項４〜９のいずれか１項に記載のインクジェット画像形成方法。
【請求項１１】
請求項１〜３のいずれか１項に記載のインクジェット記録用インクを、０．５ｐｌ以上、６．０ｐｌ以下の定量で普通紙へ付与することによって画像を形成する記録ヘッドを備えたインクジェット記録装置であって、
前記画像を形成するための基本マトリクス中に、８０％デューティー以上で且つインクの総付与量が５．０μｌ／ｃｍ2以下となる部分を有する画像を形成する際に、インクの付与を複数回の分割回数に分割し、且つ分割されたそれぞれの回のインクの付与量を０．７μｌ／ｃｍ2以下とする制御機構を有することを特徴とするインクジェット記録装置。
【請求項１２】
少なくとも、ブラック、シアン、マゼンタ及びイエローの４色のインクを、それぞれ０．５ｐｌ以上、６．０ｐｌ以下の定量で普通紙へ付与することによって画像を形成する記録ヘッドを備えたインクジェット記録装置であって、
前記画像を形成するための基本マトリクス中に、８０％デューティー以上で且つインクの総付与量が５．０μｌ／ｃｍ2以下となる部分を有する画像を形成する際に、インクの付与を複数回の分割回数に分割し、且つ分割されたそれぞれの回のインクの付与量を０．７μｌ／ｃｍ2以下とする制御機構を有し、
前記インクが、下記一般式（Ｉ）で表わされるアニオン性官能基が直接あるいは他の原子団を介して表面に結合した自己分散顔料と、水と、下記式（Ａ）で定義される親疎水度係数が０．３７以上の水溶性物質及び親疎水度係数が０．２５以下の水溶性物質と、ＨＬＢ値が１０以上のアセチレングルコールのエチレンオキサイド付加物とを含有し、
前記親疎水度係数が０．３７以上の水溶性物質として、炭素数４〜７の炭化水素のグリコール構造を有する水溶性物質を含有し、
前記インク中での、前記親疎水度係数が０．３７以上の水溶性化合物の含有割合を（Ａ）質量％、前記親疎水度係数が０．２５以下の水溶性化合物の含有割合を（Ｂ）質量％としたときに、「（Ａ）／（Ｂ）」が１／５以上、５／１以下であり、
前記ＨＬＢ値が１０以上のアセチレングルコールのエチレンオキサイド付加物のインク中での含有量は、０．２質量％以上、５質量％以下であり、
表面張力が３４ｍＮ／ｍ以下のインクであることを特徴とするインクジェット記録装置。
一般式（Ｉ）
【化３】
2009221456.tif 000005
（但し、式中のＭ1、Ｍ2は、独立して、水素原子、アルカリ金属、アンモニウムまたは有機アンモニウムを表わす。）
式（Ａ）
【数３】
2009221456.tif 000006
【請求項１３】
前記記録ヘッドが、熱エネルギーの作用によりインクの付与を行なう記録ヘッドであることを特徴とする請求項１１または１２に記載のインクジェット記録装置。
【手続補正２】
【補正対象書類名】明細書
【補正対象項目名】００１０
【補正方法】変更
【補正の内容】
【００１０】
上記の目的は以下の本発明によって達成される。すなわち、本発明の第一の発明は、下記一般式（Ｉ）で表わされるアニオン性官能基が直接あるいは他の原子団を介して表面に結合した自己分散顔料と、水と、下記式（Ａ）で定義される親疎水度係数が０．３７以上の水溶性物質及び親疎水度係数が０．２５以下の水溶性物質と、ＨＬＢ値が１０以上のアセチレングルコールのエチレンオキサイド付加物とを含有し、
前記親疎水度係数が０．３７以上の水溶性物質として、炭素数４〜７の炭化水素のグリコール構造を有する水溶性物質を含有し、
インク中での、前記親疎水度係数が０．３７以上の水溶性化合物の含有割合を（Ａ）質量％、前記親疎水度係数が０．２５以下の水溶性化合物の含有割合を（Ｂ）質量％としたときに、「（Ａ）／（Ｂ）」が１／５以上、５／１以下であり、
前記ＨＬＢ値が１０以上のアセチレングルコールのエチレンオキサイド付加物のインク中での含有量は、０．２質量％以上、５質量％以下であり、
表面張力が３４ｍＮ／ｍ以下であることを特徴とするインクジェット記録用インクである。
一般式（Ｉ）